(57)【要約】【課題】  サイズの大きなデータを効率よく送受信する測定システムを実現することにある。【解決手段】  本発明は、データを管理するデータ管理端末と、指示情報とデータ管理端末のアドレス情報とを含む電子メールを送信する電子メール配信端末と、ネットワークを介して、電子メール配信端末からの電子メールに含まれるアドレス情報と指示情報とを抽出し、この指示情報に従ってデータ管理端末にファイル転送プロトコル（ＦＴＰ）でデータの送受信を行う測定装置とを有することを特徴とするものである。【選択図】                    図１
2005092829.tif 000002
【特許請求の範囲】
【請求項１】
データを管理するデータ管理端末と、
指示情報と前記データ管理端末のアドレス情報とを含む電子メールを送信する電子メール配信端末と、
ネットワークを介して、前記電子メール配信端末からの電子メールに含まれるアドレス情報と指示情報とを抽出し、この指示情報に従って前記データ管理端末にファイル転送プロトコル（ＦＴＰ）でデータの送受信を行う測定装置と
を有することを特徴とする測定システム。
【請求項２】
バージョンアップデータを管理するデータ管理端末と、
バージョンアップ情報と前記データ管理端末のアドレス情報とを含む電子メールを送信する電子メール配信端末と、
ネットワークを介して、前記電子メール配信端末からの電子メールに含まれるアドレス情報とバージョンアップ情報とを抽出し、このバージョンアップ情報に従って前記データ管理端末からファイル転送プロトコル（ＦＴＰ）でバージョンアップデータを取得して、装置本体のソフトウェアをバージョンアップする測定装置と
を有することを特徴とする測定システム。
【請求項３】
測定装置は、
少なくとも電子メールの受信を行う電子メール手段と、
前記電子メール手段の受信した電子メールから前記データ管理端末のアドレス情報とバージョンアップ情報とを抽出する抽出手段と、
この抽出手段が抽出したバージョンアップ情報に従って、前記データ管理端末からファイル転送プロトコル（ＦＴＰ）でソフトウェアのバージョンアップデータを取得するデータ送受信手段と、
このデータ送受信手段が取得したバージョンアップデータで装置本体のソフトウェアをバージョンアップするバージョンアップ手段と
を有することを特徴とする請求項２記載の測定システム。
【請求項４】
バージョンアップを行うかの判断手段を有し、
データ送受信手段は、前記判断手段の判断結果に基づいて前記バージョンアップデータを取得することを特徴とする請求項３記載の測定システム。
【請求項５】
判断手段は、装置本体が測定を行っているかを判断し、
データ送受信手段は、前記判断手段が測定中でないと判断した場合、前記バージョンアップデータを取得することを特徴とする請求項４記載の測定システム。
【請求項６】
バージョンアップ情報は、前記データ管理端末が管理するソフトウェアのバージョンを有し、
データ送受信手段は、前記抽出手段が抽出したバージョンアップ情報に含まれるバージョンが装置本体のバージョンよりも新しい場合、前記バージョンアップデータを取得することを特徴とする請求項３〜５のいずれかに記載の測定システム。
【請求項７】
受信したデータを管理するデータ管理端末と、
送信データ指示情報と前記データ管理端末のアドレス情報とを含む電子メールを送信する電子メール配信端末と、
ネットワークを介して、前記電子メール配信端末からの電子メールに含まれるアドレス情報と送信データ指示情報とを抽出し、この送信データ指示情報に従って前記データ管理端末にファイル転送プロトコル（ＦＴＰ）でデータを送信する測定装置と
を有することを特徴とする測定システム。
【請求項８】
測定装置は、
少なくとも電子メールの受信を行う電子メール手段と、
前記電子メール手段の受信した電子メールから前記データ管理端末のアドレス情報と送信データ指示情報とを抽出する抽出手段と、
この抽出手段が抽出した送信データ指示情報に従って、前記データ管理端末にファイル転送プロトコル（ＦＴＰ）で送信データ指示情報に対応する応答データを送信するデータ送受信手段と
を有することを特徴とする請求項７記載の測定システム。
【請求項９】
送信データ指示情報は、測定条件の設定指示、測定制御コマンド、測定データの送信指示、測定データに基づく画像データの送信指示、ソフトウェアのバージョンアップ情報送信指示の少なくともいずれか一つであることを特徴とする請求項７または８記載の測定システム。
【請求項１０】
前記アドレス情報は、ドメイン名またはＩＰアドレスであることを特徴とする請求項１〜９のいずれかに記載の測定システム。
【請求項１１】
データ管理端末と電子メール配信端末とは、同一の端末であることを特徴とする請求項１〜１０のいずれかに記載の測定システム。
【請求項１２】
測定装置は、被測定波形を測定し、測定データを取得する波形測定装置であることを特徴とする請求項１〜１１のいずれかに記載の測定システム。
【発明の詳細な説明】
【技術分野】
【０００１】
本発明は、ネットワークを介して通信を行う測定装置を有する測定システムに関し、詳しくは、サイズの大きなデータを効率よく送受信する測定システムに関するものである。
【背景技術】
【０００２】
図５は、従来の測定システムの構成を示した図である（例えば、特許文献１参照）。図５において、インターネット１００は、ネットワークである。なお、ここで、ネットワークとしてインターネットを挙げたが、ＬＡＮ（local area network）等でもよい。端末１０は、インターネット１００に接続される。波形測定装置２０は、例えば、デジタルオシロスコープであり、インターネット１００に接続される。なお、波形測定装置２０は測定装置である。
【０００３】
波形測定装置２０は、インターネット１００に接続され、電子メール手段２１、制御部２２、ＲＡＭ（Random Access Memory）２３、ＲＯＭ２４、測定部２５、アクイジョンメモリ２６、データ処理部２７、表示部２８、ストレージ手段２９を有する。
【０００４】
電子メール手段２１は、インターネット１００と接続される。制御部２２は、電子メール手段２１と相互に接続される。ＲＡＭ２３は、制御部２２と相互に接続され、ソフトウェアがロードされ実行される。なお、ソフトウェアとは、ファームウェアも含むものである。ＲＯＭ２４は、内容の書き換えが可能な不揮発性の記憶部であり、例えば、ＥＥＰＲＯＭ（Electrically Erasable Progrmmable Read Only Memory）や、フラッシュメモリ等であり、制御部２２と相互に接続され、ソフトウェアを格納する。
【０００５】
測定部２５は、制御部２２からの指示によって被測定波形の測定を行い、アクイジョンメモリ２６に波形データを格納する。データ処理部２７は制御部２２からの指示によって、アクイジョンメモリ２６から波形データを読み出し、所望のデータ処理・解析（演算、メジャー、ＸＹ相関解析（Ｘ軸に指定したチャネルの入力信号の電圧軸をとり、Ｙ軸にその他のチャネルの入力信号の電圧軸をとって、２つの入力信号の相関の解析）等）を行ったり、波形データやデータ処理結果を表す画像データの作成を行う。表示部２８は、制御部２２からの指示によって、データ処理部２７の作成した画像データを表示する。ストレージ手段２９は、例えば、フロッピー（登録商標）ディスク、ハードディスク、ＭＯディスク等であり、制御部２２と相互に接続される。
【０００６】
このような装置において、被測定波形の測定を行う動作を説明する。
制御部２２が、ＲＯＭ２４からソフトウェアをＲＡＭ２３にロードし実行する。そしてソフトウェアに従って、測定部２５に被測定波形の測定を行わせ、測定した波形データをアクイジョンメモリ２６に格納させる。そして、データ処理部２７にアクイジョンメモリ２６から波形データを読み出させてデータ処理を行わせたり、波形データやデータ処理結果を表す画像データを作成させる。さらに、制御部２２が表示部２８に画像データを表示させる。
【０００７】
続いて、ソフトウェアをバージョンアップする動作を説明する。
まず、端末１０が、保持しているソフトウェアの最新のバージョンアップデータを電子メールでインターネット１００を介して波形測定装置２０に送信する。そして、波形測定装置２０の電子メール手段２１が、端末１０からのバージョンアップデータを受信する。さらに、制御部２２が、電子メール手段２１が受信したバージョンアップデータをＲＯＭ２４に書き込む。
【０００８】
または、インターネット１００を介して公開されているＷｅｂ（World Wide Web）サーバにユーザが自らアクセスし、図示しないブラウザを操作して、Ｗｅｂサーバ中の指定された端末に接続し、さらにバージョンアップデータを指定して、ストレージ手段２９にダウンロードする。そして、ユーザが所定の手順に従って、制御部２２に、ストレージ手段２９のバージョンアップデータをＲＯＭ２４に書き込ませる。
【特許文献１】特開２００２−１８６０６６号公報（段落番号００２４−００４８、第１−２図）
【発明の開示】
【発明が解決しようとする課題】
【０００９】
このように、インターネット１００を介してバージョンアップデータを取得し、装置本体のソフトウェアのバージョンアップをするので、ＲＯＭ２４そのものを交換する必要が無い。
【００１０】
ここで、電子メールによるバージョンアップデータの取得と、Ｗｅｂサーバからの取得を比較すると、ユーザが自らＷｅｂサーバからサイズの大きなバージョンアップデータを長時間かけてダウンロードして、波形測定装置２０のバージョンアップをする場合、ユーザが多数の処理を行う必要があり失敗することが多いという問題がある。また、ユーザが自らＷｅｂサーバにアクセスして、最新のバージョンアップデータを取得する必要があり、常に最新のバージョンに保つことは難しいという問題がある。そのため、近年は、電子メールによるバージョンアップデータの取得が増えつつあり、上記の問題は解決されつつある。
【００１１】
しかしながら、近年、波形測定装置２０の性能の向上、高度なデータ処理等によりバージョンアップデータのサイズが非常に大きく（例えば、３０ＭＢｙｔｅ）なっている。そのため、電子メールでバージョンアップデータを送信することが難しいという問題が生じている。
【００１２】
ここで端末１０から波形測定装置２０に電子メールが送信される手順を詳細に説明する。
端末１０は、通常ＳＭＴＰ（Simple Mail Transfer Protocol）で電子メールを図示しないＳＭＴＰサーバに送信する。そしてＳＭＴＰサーバが一旦電子メールを格納し、インターネット１００を介して、波形測定装置２０の図示しないメールサーバに送信する。さらに、メールサーバはメールボックスにメールを保管する。そして、波形測定装置２０がＰＯＰ（Post Office Protocol）による定期的なポーリングでメールサーバから電子メールを取得する。この際、ＳＴＭＰサーバやメールサーバは通常、データのサイズ制限（通常は、インターネット１００の負荷を考慮して１０ＭＢｔｙｅ程度）を行う。
【００１３】
そのため、サイズの大きなバージョンアップデータを送付する場合、バージョンアップデータを分割して送付する必要があり、ユーザ側で分割したファイルをあわせる必要があり効率が悪いという問題があった。
【００１４】
そこで、本発明の目的は、サイズの大きなデータを効率よく送受信する測定システムを実現することにある。
【課題を解決するための手段】
【００１５】
請求項１記載の発明は、
データを管理するデータ管理端末と、
指示情報と前記データ管理端末のアドレス情報とを含む電子メールを送信する電子メール配信端末と、
ネットワークを介して、前記電子メール配信端末からの電子メールに含まれるアドレス情報と指示情報とを抽出し、この指示情報に従って前記データ管理端末にファイル転送プロトコル（ＦＴＰ）でデータの送受信を行う測定装置と
を有することを特徴とするものである。
【００１６】
請求項２記載の発明は、
バージョンアップデータを管理するデータ管理端末と、
バージョンアップ情報と前記データ管理端末のアドレス情報とを含む電子メールを送信する電子メール配信端末と、
ネットワークを介して、前記電子メール配信端末からの電子メールに含まれるアドレス情報とバージョンアップ情報とを抽出し、このバージョンアップ情報に従って前記データ管理端末からファイル転送プロトコル（ＦＴＰ）でバージョンアップデータを取得して、装置本体のソフトウェアをバージョンアップする測定装置と
を有することを特徴とするものである。
【００１７】
請求項３記載の発明は、請求項２記載の発明において、
測定装置は、
少なくとも電子メールの受信を行う電子メール手段と、
前記電子メール手段の受信した電子メールから前記データ管理端末のアドレス情報とバージョンアップ情報とを抽出する抽出手段と、
この抽出手段が抽出したバージョンアップ情報に従って、前記データ管理端末からファイル転送プロトコル（ＦＴＰ）でソフトウェアのバージョンアップデータを取得するデータ送受信手段と、
このデータ送受信手段が取得したバージョンアップデータで装置本体のソフトウェアをバージョンアップするバージョンアップ手段と
を有することを特徴とするものである。
【００１８】
請求項４記載の発明は、請求項３記載の発明において、
バージョンアップを行うかの判断手段を有し、
データ送受信手段は、前記判断手段の判断結果に基づいて前記バージョンアップデータを取得することを特徴とするものである。
【００１９】
請求項５記載の発明は、請求項４記載の発明において、
判断手段は、装置本体が測定を行っているかを判断し、
データ送受信手段は、前記判断手段が測定中でないと判断した場合、前記バージョンアップデータを取得することを特徴とするものである。
【００２０】
請求項６記載の発明は、請求項３〜５のいずれかに記載の発明において、
バージョンアップ情報は、前記データ管理端末が管理するソフトウェアのバージョンを有し、
データ送受信手段は、前記抽出手段が抽出したバージョンアップ情報に含まれるバージョンが装置本体のバージョンよりも新しい場合、前記バージョンアップデータを取得することを特徴とするものである。
【００２１】
請求項７記載の発明は、
受信したデータを管理するデータ管理端末と、
送信データ指示情報と前記データ管理端末のアドレス情報とを含む電子メールを送信する電子メール配信端末と、
ネットワークを介して、前記電子メール配信端末からの電子メールに含まれるアドレス情報と送信データ指示情報とを抽出し、この送信データ指示情報に従って前記データ管理端末にファイル転送プロトコル（ＦＴＰ）でデータを送信する測定装置と
を有することを特徴とするものである。
【００２２】
請求項８記載の発明は、請求項７記載の発明において、
測定装置は、
少なくとも電子メールの受信を行う電子メール手段と、
前記電子メール手段の受信した電子メールから前記データ管理端末のアドレス情報と送信データ指示情報とを抽出する抽出手段と、
この抽出手段が抽出した送信データ指示情報に従って、前記データ管理端末にファイル転送プロトコル（ＦＴＰ）で送信データ指示情報に対応する応答データを送信するデータ送受信手段と
を有することを特徴とするものである。
【００２３】
請求項９記載の発明は、請求項７または８記載の発明において、
送信データ指示情報は、測定条件の設定指示、測定制御コマンド、測定データの送信指示、測定データに基づく画像データの送信指示、ソフトウェアのバージョンアップ情報送信指示の少なくともいずれか一つであることを特徴とするものである。
【００２４】
請求項１０記載の発明は、請求項１〜９のいずれかに記載の発明において、
前記アドレス情報は、ドメイン名またはＩＰアドレスであることを特徴とするものである。
【００２５】
請求項１１記載の発明は、請求項１〜１０のいずれかに記載の発明において、
データ管理端末と電子メール配信端末とは、同一の端末であることを特徴とするものである。
【００２６】
請求項１２記載の発明は、請求項１〜１１のいずれかに記載の発明において、
測定装置は、被測定波形を測定し、測定データを取得する波形測定装置であることを特徴とするものである。
【発明の効果】
【００２７】
以上説明したことから明らかなように、本発明によれば次のような効果がある。
請求項１〜１２によれば、測定装置がネットワークを介して受信した電子メールから、指示情報とデータ管理端末のアドレス情報とを抽出し、抽出した指示情報に従ってデータ管理端末にＦＴＰでデータの送受信を行うので、データのサイズが大きくとも電子メールのようにサイズで制限されず一度で受信をおこなうことができる。これによりサイズの大きなデータを効率よく送受信することができる。
【００２８】
請求項２〜７によれば、測定装置がネットワークを介して受信した電子メールから、バージョンアップ情報とデータ管理端末のアドレス情報とを抽出し、抽出したバージョンアップ情報に従って、ＦＴＰでデータ管理端末からバージョンアップデータを取得するので、バージョンアップデータのサイズが大きくとも電子メールのようにサイズに制限されず、一度で受信をおこなうことができる。これによりサイズの大きなバージョンアップデータを効率よく受信することができる。
【００２９】
請求項３によれば、データ送受信手段が抽出手段によって抽出されたアドレス情報のデータ管理端末からバージョンアップデータ取得し、バージョンアップ手段が取得したバージョンアップデータを用いて、バージョンアップまでの一連の作業を自動的に行うので、ユーザがアドレス情報の指定やバージョンアップ取得後のバージョンアップの処理を行う必要がない。これにより、容易に測定装置のソフトウェアのバージョンアップを行うことができる。
【００３０】
請求項４によれば、判断手段がバージョンアップを行うかを判断し、データ送受信手段が判断結果によってバージョンアップデータを取得し、バージョンアップ手段がバージョンアップを行うので、意図せずバージョンアップされることがない。
【００３１】
請求項５によれば、判断手段が測定中かを判断し、データ送受信手段が測定を行っていない場合にバージョンアップデータを取得し、バージョンアップ手段がバージョンアップを行うので、測定が途中で中断されることがない。
【００３２】
請求項６によれば、データ送受信手段が、バージョンアップ情報に含まれるバージョンが装置本体のバージョンよりも新しい場合に、バージョンアップデータの取得を行うので、不必要なバージョンアップデータを取得することがない。これにより、バージョンアップデータを効率よく受信することができる。
【００３３】
請求項７〜９によれば、
測定装置がネットワークを介して受信した電子メールから、送信データ指示情報とデータ管理端末のアドレス情報とを抽出し、抽出した送信データ指示情報に従って、ＦＴＰでデータ管理端末に送信データ指示情報に対応する応答データを送信するので、送信データのサイズが大きくとも電子メールのようにサイズに制限されず、一度で送信をおこなうことができる。これによりサイズの大きなバージョンアップデータを効率よく送信することができる。
【００３４】
また、インターネット１００を介して、電子メール配信端末が送信データ指示情報とデータ管理端末のアドレス情報とを含む電子メールを送信し、測定装置が電子メールに含まれるアドレス情報と送信データ指示情報とを抽出し、この送信データ指示情報に従ってデータ管理端末にＦＴＰでデータを送信するので、遠隔地から測定装置の遠隔操作や、測定データや画像データを取得し遠隔モニタを行うことができる。
【００３５】
請求項１２によれば、例えば、デジタルオシロスコープを中心とした測定システムが構築でき、デジタルオシロスコープを電子メール配信端末、データ管理端末で容易に集中管理することができる。
【発明を実施するための最良の形態】
【００３６】
以下図面を用いて本発明の実施の形態を説明する。
図１は本発明の一実施例を示した構成図である。ここで、図５と同一のものは同一符号を付し、説明を省略する。図１において、端末１０の代わりにデータ管理端末３０、電子メール配信端末４０が設けられる。
【００３７】
データ管理端末３０は、インターネット１００に接続され、ファイル転送プロトコル（以下、ＦＴＰ（File Transfer Protocol）と略す）でデータの送受信を行うデータ送受信手段３１を有しており、バージョンアップデータを管理する。このようなデータ管理端末３０は、一般的にＦＴＰサーバとも呼ばれる。
【００３８】
電子メール配信端末４０は、インターネット１００に接続され、指示情報の一つであるバージョンアップ情報と、データ管理端末３０のドメイン名とを含む電子メールを送信する電子メール送信手段４１を有している。このような電子メール配信端末４０は、一般的にＳＭＴＰクライアントとも呼ばれる。
【００３９】
また、波形測定装置２０の代わりに波形測定装置５０が設けられる。波形測定装置５０は、インターネット１００を介して、電子メール配信端末４０からの電子メールを受信する。また、波形測定装置５０は、電子メール手段５１、抽出手段５２、判断手段５３、ＦＴＰ送受信手段５４、制御部５５を有し、電子メール配信端末４０からの電子メールに含まれるアドレス情報とバージョンアップ情報とを抽出し、このバージョンアップ情報に従ってデータ管理端末３０からＦＴＰでバージョンアップデータを取得して、装置本体のソフトウェアをバージョンアップする。なお、波形測定装置５０は、測定部、アクイジョンメモリ、データ処理部、表示部、ＲＯＭ、ＲＡＭ、ストレージ手段を有するが、図５に示す装置と同様なので図示を省略する。
【００４０】
電子メール手段５１は、インターネット１００と接続され、電子メールの送信、自分宛ての電子メールの受信をＰＯＰにより行う。このような電子メール手段５１を有する波形測定装置５０は、一般的にＰＯＰクライアントとも呼ばれる。なお、電子メール手段は５１は、少なくとも受信が行えればよい。
【００４１】
抽出手段５２は、電子メール手段５１が受信した電子メールの本文からデータ管理端末３０のドメイン名とバージョンアップ情報とを抽出する。ここで、アドレス情報としてドメイン名を挙げたが、もちろんＩＰアドレスでもよく、要はインターネット１００に接続される端末のなかからデータ管理端末３０を識別できる識別情報であればよい。
【００４２】
判断手段５３は、装置本体が測定を行っているかの判断を行う。
ＦＴＰ送受信手段５４は、データ送受信手段であり、例えば、データ管理端末３０に接続して、ファイル化されたデータをやり取りするためのアプリケーションソフトであるＦＴＰクライアント機能を有しており、判断手段５３の判断結果、抽出手段５２が抽出したバージョンアップ情報、ドメイン名に従って、データ管理端末３０からＦＴＰでソフトウェアのバージョンアップデータを取得する。このようなＦＴＰ送受信手段５４を有する波形測定装置５０は、一般的にＦＴＰクライアントとも呼ばれる。
【００４３】
制御部５５は、バージョンアップ手段５５ａを有し、ＦＴＰ送受信手段５４が取得したバージョンアップデータで装置本体のソフトウェアをバージョンアップする。なお、データ送受信手段３１、電子メール送信手段４１、電子メール手段５１、ＦＴＰ送受信手段５４、バージョンアップ手段５５ａは、ＵＭＬ（Unified Modeling Language）の表記法で図示している。
【００４４】
このような装置の動作を説明する。また、図２は、波形測定装置５０の動作を示したフローチャートである。
電子メール配信端末４０の電子メール送信手段４１が、波形測定装置５０宛てに電子メールの本文に、データ管理端末３０のドメイン名およびバージョンアップデータの通知を示すタグ（例えば、”Ｖｅｒｓｉｏｎ”）、データ管理端末装置３０が管理するソフトウェアのバージョン、モデル名を含ませて送信する。ここで、図３は、電子メールの本文を示した図である。図３において、各行の先頭にタグ”Model Name”、”Version”、”Location”、”Protocol”があり、上の行から順番にモデル名、バージョン、ドメイン名、通信プロトコルが記載されている。なお、アドレス情報は３行目のドメイン名であり、バージョンアップ情報は、その他の行である。
【００４５】
そして、波形測定装置５０の電子メール手段５１が、図示しないＳＭＴＰサーバ、インターネット１００、波形測定装置５０の図示しないメールサーバを介して、電子メール配信端末４０からの自分宛ての電子メールを受信する（Ｓ１０）。
【００４６】
そして、抽出手段５２が、電子メールの本文にバージョンアップデータの通知を示すタグ”Version”があるかを確認する。そしてタグ”Version”がある場合は、バージョン”Ver3.02”、ドメイン名”ftp.jp.xxxxxx.com”、モデル名”YYZZZZZZ”を抽出し、ＦＴＰ送受信手段５４に出力する（Ｓ１１）。
【００４７】
さらにデータ送受信手段５４が、抽出手段５２が抽出したバージョンアップ情報に含まれるバージョン”Ver3.02”が装置本体のバージョンよりも新しく、装置本体のモデル名と一致するかを確認する。バージョンが古く、またはモデル名が一致せず不適合の場合、電子メール手段５１が受信する動作に戻る（Ｓ１２、Ｓ１０）。一方、バージョンが新しく、かつ装置本題のモデル名も一致し適合する場合、判断手段５３が、装置本体が測定を行っているかを判断する（Ｓ１２、Ｓ１３）。
【００４８】
測定中と判断した場合、電子メール手段５１が受信する動作に戻る（Ｓ１３、Ｓ１０）、測定中でないと判断した場合、ＦＴＰ送受信手段５４が、ＦＴＰクライアント機能を用いて、ＦＴＰでインターネット１００を介して、データ管理端末３０のデータ送受信手段３１と通信を行い、バージョンアップデータを取得する（Ｓ１３、Ｓ１４）。
【００４９】
そして、制御部５５のバージョンアップ手段５５ａが、ＦＴＰ送受信手段５４が取得したバージョンアップデータを図示しないＲＯＭに書き込む。この際、取得したバージョンアップデータと図示しないＲＯＭに書き込んだバージョンアップデータのサムチェックを行った後、波形測定装置５０を再起動する。
なお、被測定波形の測定を行う動作は、図５に示す装置と同様なので説明を省略する。
【００５０】
このように、電子メール手段５１が受信した電子メールの本文から、抽出手段５２がドメイン名とバージョンアップ情報を抽出する。そして、ＦＴＰ送受信手段５４がＦＴＰでデータ管理端末３０からバージョンアップデータを取得するので、電子メールのようにサイズに制限されず、一度で受信をおこなうことができる。これによりサイズの大きなバージョンアップデータを効率よく受信することができる。
【００５１】
また、ＦＴＰ送受信手段５４が、抽出手段５２によって抽出されたドメイン名のデータ管理端末３０からバージョンアップデータ取得し、制御部５５に出力する。そして、制御部５５のバージョンアップ手段５５ａがバージョンアップまでの一連の作業を自動的に行うので、ユーザがドメイン名の指定やバージョンアップ取得後のバージョンアップの処理を行う必要がない。これにより、容易に波形測定装置５０のバージョンアップを行うことができる。
【００５２】
また、判断手段５３が測定中かを判断し、ＦＴＰ送受信手段５４が測定を行っていない場合にバージョンアップデータを取得し、バージョンアップ手段５５ａがバージョンアップを行うので、測定が途中で中断されることがない。
【００５３】
また、電子メール配信端末４０がバージョンアップ情報を波形測定装置５０に送信するので、ユーザが自ら最新のバージョンアップデータかを確認する必要が無い。これにより、常に最新のバージョンアップデータを取得でき、波形測定装置５０のソフトウェアを最新バージョンに保つことが容易になる。
【００５４】
また、波形測定装置５０は、電子メール手段５１が電子メールの受信を行い、ＦＴＰ送受信手段５４がＦＴＰでデータ管理端末３０とファイルの送受信を行うが、それぞれはクライアントでありサーバ機能は有していないので、波形測定装置を一般公開（つまりルータに登録）することなく、電子データ配信端末４０と波形測定装置５０間およびデータ管理端末３０と波形測定装置５０間の通信を行うことができる。従って波形測定装置５０のセキュリティを高くすることができる。
【００５５】
さらに、ＦＴＰ送受信手段５４が、バージョンアップ情報に含まれるバージョン”Ver3.02”が装置本体のバージョンよりも新しい場合に、バージョンアップデータの取得を行うので、不必要なバージョンアップデータを取得することがない。これにより、バージョンアップデータを効率よく受信することができる。
【００５６】
なお、本発明はこれに限定されるものではなく、以下のようなものでもよい。
（１）図１に示す装置において、電子メール配信端末４０が、ドメイン名とバージョンアップ情報とを含む電子メールを波形測定装置５０に送信し、この電子メールによって波形測定装置５０がデータ管理端末３０からバージョンアップデータを取得し、ソフトウェアのバージョンアップを行う構成を示したが、次のような構成でもよい。電子メール配信端末４０がバージョンアップ情報の代わりに指示情報の一つである送信データ指示情報を含む電子メールを波形測定装置５０に送信し、波形測定装置５０が電子メールに含まれるドメイン名と送信データ指示情報とを抽出し、この送信データ指示情報に従ってデータ管理端末３０にＦＴＰでデータを送信してもよい。もちろん、データ管理端末３０は、バージョンアップデータの代わりに受信したデータを管理する。また、判断手段５３、バージョンアップ手段５５ａは設けなくともよい。
【００５７】
このような装置の動作を説明する。
電子メール配信端末４０の電子メール送信手段４１が、波形測定装置５０宛てに電子メールの本文に、データ管理端末３０のドメイン名およびデータ送信を指示することを示すタグ（例えば、”Ｖｅｒｓｉｏｎ”の代わりに”Ａｐｐｌｉｃａｔｉｏｎ”）、送信データ情報（例えば、測定データに基づく画像データの送信指示を示すコマンド”File-BMP”）を含ませて送信する。
【００５８】
ここで、図４は、電子メールの本文を示した図である。図４において、各行の先頭にタグ”Application”、”Location”、”Protocol”があり、上の行から順番に送信させるデータの種別（測定データに基づく画像データの送信指示を示すコマンド”File-BMP”）、ドメイン名、通信プロトコルが記載されている。なお、アドレス情報は２行目のドメイン名であり、送信データ指示情報は、その他の行である。
【００５９】
そして、波形測定装置５０の電子メール手段５１が、図示しないＳＭＴＰサーバ、インターネット１００、波形測定装置５０の図示しないメールサーバを介して、電子メール配信端末４０からの自分宛ての電子メールを受信する。
【００６０】
そして、抽出手段５１が、電子メールの本文にデータ送信を指示することを示すタグ”Application”があるかを確認する。そしてタグ”Application”がある場合は、ドメイン名”ftp.jp.xxxxxx.com”、測定データに基づく画像データの送信指示を示すコマンド”File-BMP”を抽出し、ＦＴＰ送受信手段５４にドメイン名”ftp.jp.xxxxxx.com”を出力し、制御部５５に測定データに基づく画像データの送信指示を示すコマンド”File-BMP”を出力する。
【００６１】
そして、制御部５５がコマンド”File-BMP”に従って、測定データに基づく画像データを作成し、作成した画像データをＦＴＰ送受信手段５４に出力する。さらに、ＦＴＰ送受信手段５４が、ＦＴＰクライアント機能を用いて、ＦＴＰでインターネット１００を介して、データ管理端末３０のデータ送受信手段３１と通信を行い、画像データをデータ管理端末３０に送信する。さらに、データ管理端末３０が受信した画像データを管理する。
【００６２】
なお、上記以外の動作は図１に示す装置と同様なので説明を省略する。
また、送信させるデータの種別は、他には、測定条件の設定指示（レンジ設定、サンプリング周期設定等）、測定制御コマンド（測定開始、測定中止等）、測定データの送信指示、ソフトウェアのバージョンアップ情報送信指示等がある。そして、測定条件の設定指示、測定制御コマンドに対応する応答データは設定、制御が終了したことを表すデータであり、測定データの送信指示に対応する応答データはアクイジョンメモリの測定データであり、ソフトウェアのバージョンアップ情報送信指示に対応する応答データはソフトウェアのバージョンである。
【００６３】
このように、電子メール手段５２が受信した電子メールの本文から、抽出手段５２がドメイン名と送信データ指示情報を抽出する。そして、ＦＴＰ送受信手段５４がＦＴＰでデータ管理端末３０に送信データ指示情報に対応する応答データを送信するので、応答データのサイズが大きくとも電子メールのようにサイズに制限されず、一度で送信をおこなうことができる。これによりサイズの大きな応答データを効率よく送信することができる。
【００６４】
また、インターネット１００を介して、電子メール配信端末４０が送信データ指示情報とデータ管理端末３０のアドレス情報とを含む電子メールを送信し、波形測定装置５０が、電子メールに含まれるアドレス情報と送信データ指示情報とを抽出し、この送信データ指示情報に従ってデータ管理端末３０にＦＴＰでデータを送信するので、遠隔地から波形測定装置５０の遠隔操作や、測定データや画像データを取得し遠隔モニタを行うことができる。
【００６５】
（２）図１に示す装置において、波形測定装置５０を１台設ける構成を示したが、複数でもよい。この場合、電子メール配信端末４０は、複数の波形測定装置５０を送信先として電子メールを送付するとよい。これにより、同時に複数の波形測定装置５０がバージョンアップを行うことが出来る。
【００６６】
（３）図１に示す装置において、判断手段５３が測定中かを判断し、この判断結果に基づいてＦＴＰ送受信手段５４がバージョンアップデータを取得する構成を示したが、判断手段５４を設けずに、ＦＴＰ送受信手段５４がバージョンアップデータを取得する構成としてもよい。
【００６７】
（４）図１に示す装置において、判断手段５３が測定中かを判断する構成を示したが、判断手段５３が、図示しない表示部にバージョンアップを行うかを確認する画面を表示させ、ユーザからの応答に従って、バージョンアップを行うか判断してもよい。これにより、判断手段５３がバージョンアップを行うかを判断し、ＦＴＰ送受信手段５４が判断結果によってバージョンアップデータを取得し、バージョンアップ手段５５ａがバージョンアップを行うので、意図せずバージョンアップされることがない。
【００６８】
（５）図１に示す装置において、データ管理端末３０と電子メール配信端末４０とを別々に設ける構成を示したが、同一の端末としてもよい。
【００６９】
（６）図１に示す装置において、測定装置として波形測定装置の一種であるデジタルオシロスコープを例に挙げたが、電子メールの受信、ＦＴＰクライアント機能を有する各種の測定装置への適用が可能である。
【図面の簡単な説明】
【００７０】
【図１】本発明の一実施例を示した構成図である。
【図２】図１に示す装置における波形測定装置５０の動作を説明したフローチャートである。
【図３】電子メール配信端末が送信する電子メールの本文の一例を示した図である。
【図４】電子メール配信端末が送信する電子メールの本文の他の例を示した図である。
【図５】従来の測定システムの構成図である。
【符号の説明】
【００７１】
３０  データ管理端末
４０  電子メール配信端末
５０  波形測定装置
５１  電子メール手段
５２  抽出手段
５３  判断手段
５４  ＦＴＰ送受信手段
５５ａ  バージョンアップ手段
１００  インターネット
【図１】
2005092829.tif 000003
【図２】
2005092829.tif 000004
【図３】
2005092829.tif 000005
【図４】
2005092829.tif 000006
【図５】
2005092829.tif 000007